(57)【要約】      （修正有）【課題】電力消費を抑制することができる携帯端末装置を提供する。【解決手段】携帯端末装置は、複数の表示装置と、一方の表示装置に表示される第１画面の生成処理に用いられるデータの入力を受け付けるための第２画面を表示している他方の表示装置を特定する特定部と、所定の操作を受けない期間が第１時間長を越えた場合に、特定した他方の表示装置における輝度を減ずる低減部とを有する。一態様の携帯端末装置は、データ入力の受け付けを終えたことにより不用になったと推測され得る第２画面を継続して表示することによる電力消費を抑制する。【選択図】図１１
2014191223.tif 000002
【特許請求の範囲】
【請求項１】
複数の表示装置と、
一方の表示装置に表示される第１画面の生成処理に用いられるデータの入力を受け付けるための第２画面を表示している他方の表示装置を特定する特定部と、
所定の操作を受けない期間が第１時間長を越えた場合に、前記特定した他方の表示装置における輝度を減ずる低減部と
を有する携帯端末装置。
【請求項２】
前記特定部は、前記複数の表示装置のいずれにも前記第２画面が表示されてない場合に、一方の表示装置に表示される第３画面を呼び出すための操作を促した第４画面を表示している他方の表示装置を特定し、
所定の操作を受けない期間が第１時間長を越えた場合に、前記低減部は、前記特定した他方の表示装置における輝度を減ずる
請求項１記載の携帯端末装置。
【請求項３】
前記所定の操作を受けない期間が第２時間長を越えた場合に、前記特定した他方の表示装置を休止させる休止部
を有する請求項１又は２記載の携帯端末装置。
【請求項４】
前記特定した他方の表示装置を休止させた場合に、前記休止部は、前記特定した他方の表示装置と連動する入力装置を休止させる
請求項３記載の携帯端末装置。
【請求項５】
複数の表示装置を有する携帯端末装置に含まれるプロセッサに、
一方の表示装置に表示される第１画面の生成処理に用いられるデータの入力を受け付けるための第２画面を表示している他方の表示装置を特定する処理と、
所定の操作を受けない期間が第１時間長を越えた場合に、前記特定した他方の表示装置における輝度を減ずる処理と
を実行させるための画面表示プログラム。
【請求項６】
複数の表示装置を有する携帯端末装置によって実行される画面表示方法であって、
一方の表示装置に表示される第１画面の生成処理に用いられるデータの入力を受け付けるための第２画面を表示している他方の表示装置を特定する処理と、
所定の操作を受けない期間が第１時間長を越えた場合に、前記特定した他方の表示装置における輝度を減ずる処理と
を含む画面表示方法。
【発明の詳細な説明】
【技術分野】
【０００１】
本技術は、携帯端末装置における消費電力を低減させる技術に関する。
【背景技術】
【０００２】
ある文献には、２つの表示面を備えたブック型ディスプレイという携帯端末装置が示されている。この携帯端末装置は、縦あるいは横の表示向きと、二画面一体あるいは各画面独立の表示方式とを組み合わせて、電子出版に係る本のイメージを表示する。また、一方の表示面のみを表示させ、他方の表示面を備える表示装置への電源を切ることも示唆している。
【０００３】
このように、２つの表示面を備えた携帯端末装置において、一方の表示面における表示のみで足りる場合に、他方の表示面の表示を休止させるようにすれば、消費される電力は減る。
【０００４】
しかし、その都度不要な表示面の表示を休止させる指示を行うことは、利用者にとって面倒である。
【先行技術文献】
【特許文献】
【０００５】
【特許文献１】特開平９−２６５６２号公報
【発明の概要】
【発明が解決しようとする課題】
【０００６】
本技術の目的は、一側面では、携帯端末装置における電力消費を抑制することを目的とする。
【課題を解決するための手段】
【０００７】
一態様の携帯端末装置は、複数の表示装置と、一方の表示装置に表示される第１画面の生成処理に用いられるデータの入力を受け付けるための第２画面を表示している他方の表示装置を特定する特定部と、所定の操作を受けない期間が第１時間長を越えた場合に、特定した他方の表示装置における輝度を減ずる低減部とを有する。
【発明の効果】
【０００８】
一側面においては、携帯端末装置における電力消費を抑制することができる。
【図面の簡単な説明】
【０００９】
【図１】図１は、上下開き状態における携帯端末装置の斜視図である。
【図２】図２は、携帯端末装置のハードウエア構成例を示す図である。
【図３】図３は、データ入力画面リストの例を示す図である。
【図４】図４は、上下開きにおける表示領域の例を示す図である。
【図５】図５は、実施の形態１における画面管理データの例を示す図である。
【図６】図６は、実施の形態１に係るモードを説明するためのテーブルである。
【図７】図７は、タイマーＡによるタイムチャートを示す図である。
【図８】図８は、タイマーＢによるタイムチャートを示す図である。
【図９】図９は、モード遷移の例を示す図である。
【図１０】図１０は、実施の形態１に係るシーケンスの例を示す図である。
【図１１】図１１は、実施の形態１に係る携帯端末装置のモジュール構成例を示す図である。
【図１２】図１２は、実施の形態１に係る画面制御部によるメイン処理フローの例を示す図である。
【図１３】図１３は、制御処理フローの例を示す図である。
【図１４】図１４は、制御処理フローの例を示す図である。
【図１５】図１５は、制御処理フローの例を示す図である。
【図１６】図１６は、制御処理フローの例を示す図である。
【図１７】図１７は、制御処理フローの例を示す図である。
【図１８】図１８は、左右開き状態における携帯端末装置の斜視図である。
【図１９】図１９は、対象プログラムリストの例を示す図である。
【図２０】図２０は、実施の形態２に係るモードを説明するためのテーブルである。
【図２１】図２１は、実施の形態２に係るシーケンスの例を示す図である。
【図２２】図２２は、実施の形態２に係る携帯端末装置のモジュール構成例を示す図である。
【図２３】図２３は、実施の形態２に係る画面制御部によるメイン処理フローの例を示す図である。
【図２４】図２４は、実施の形態３に係る画面管理データの例を示す図である。
【図２５】図２５は、左右開きにおける表示領域の例を示す図である。
【図２６】図２６は、実施の形態３に係るモードを説明するためのテーブルである。
【図２７】図２７は、実施の形態３に係るシーケンスの例を示す図である。
【図２８】図２８は、実施の形態３に係る携帯端末装置のモジュール構成例を示す図である。
【図２９】図２９は、実施の形態３に係る画面制御部によるメイン処理フローの例を示す図である。
【図３０】図３０は、実施の形態４に係る画面制御部によるメイン処理フローの例を示す図である。
【発明を実施するための形態】
【００１０】
［実施の形態１］
図１に、上下開き状態における携帯端末装置１００の斜視図を示す。携帯端末装置１００は、第１タッチパネル１０１と第２タッチパネル１０３とを有している。この図では、２枚のタッチパネルを有する携帯端末装置１００の例を示したが、携帯端末装置１００は３枚以上のタッチパネルを有するようにしてもよい。第１タッチパネル１０１と第２タッチパネル１０３とがなす角は、図の例に限定されない。第１タッチパネル１０１と第２タッチパネル１０３とがなす角は、０度から３６０度までのいずれの角度であってもよい。第１タッチパネル１０１と第２タッチパネル１０３とは、同一平面上に固定されるようにしてもよい。あるいは、第１タッチパネル１０１と第２タッチパネル１０３とは、同一板状筐体の反対面同士、つまり表面と裏面に設置されるようにしてもよい。
【００１１】
第１タッチパネル１０１は、第１ディスプレイと第１タッチパッドとを組み合わせている。第１ディスプレイは、上側の画面を表示し、第１タッチパッドは、上側の画面上のタッチ操作を検出する。
【００１２】
第２タッチパネル１０３は、第２ディスプレイと第２タッチパッドとを組み合わせている。第２ディスプレイは、下側の画面を表示し、第２タッチパッドは、下側の画面上のタッチ操作を検出する。
【００１３】
携帯端末装置１００は、キー１０５も備えている。図１に示した位置以外の位置に、キー１０５が設けられるようにしてもよい。また、キー１０５は、図１に示した形状以外の形状をしていてもよい。
【００１４】
次に、携帯端末装置１００のハードウエア構成について説明する。図２に、携帯端末装置１００のハードウエア構成例を示す。携帯端末装置１００は、プロセッサ２０１、記憶部２０３、アンテナ２１１、無線制御部２１３、オーディオ制御部２１５、スピーカ２１７、マイク２１９、第１タッチパネル１０１、第２タッチパネル１０３、キー１０５及び電池２２５を有している。
【００１５】
プロセッサ２０１は、モデムＣＰＵ（Central Processing Unit）とアプリケーションＣＰＵとからなることもある。記憶部２０３は、例えば、ＲＯＭ（Read Only Memory）２０５、ＲＡＭ（Random Access Memory）２０７及びフラッシュメモリ２０９を有している。ＲＯＭ２０５は、例えば、アプリケーションなどのプログラムや予め設定されているデータを格納している。ＲＡＭ２０７は、例えば、アプリケーションなどのプログラムを展開する領域を含んでいる。ＲＡＭ２０７は、一時的なデータを格納する領域も含んでいる。フラッシュメモリ２０９は、例えば、予め設定されているデータや保持すべきデータを格納する。
【００１６】
第１タッチパネル１０１は、第１ディスプレイ２２１ａ及び第１タッチパッド２２３ａを含んでいる。また、第２タッチパネル１０３は、第２ディスプレイ２２１ｂ及び第２タッチパッド２２３ｂを含んでいる。
【００１７】
第１ディスプレイ２２１ａ及び第２ディスプレイ２２１ｂは、例えば、オペレーティングシステム又はアプリケーションが表示させる各種画面を表示する。
【００１８】
この例で、第１タッチパッド２２３ａは、第１ディスプレイ２２１ａの表示面上に配置されたパネル状のセンサであり、タッチ操作による指示を受け付ける。同様に、第２タッチパッド２２３ｂは、第２ディスプレイ２２１ｂの表示面上に配置されたパネル状のセンサであり、タッチ操作による指示を受け付ける。第１タッチパッド２２３ａ又は第２タッチパッド２２３ｂへのタッチ操作によって、タッチイベントが発生する。
【００１９】
第１タッチパッド２２３ａ及び第２タッチパッド２２３ｂは、例えば抵抗膜方式、静電容量方式、光学式あるいは電磁誘導方式のいずれであってもよい。第１タッチパッド２２３ａは、第１ディスプレイ２２１ａと連動する入力装置の例である。第２タッチパッド２２３ｂは、第２ディスプレイ２２１ｂと連動する入力装置の例である。第１ディスプレイ２２１ａと連動する入力装置として、マウス、トラックボール又はタッチペンなどの他のポインティングデバイスを用いるようにしてもよい。同様に、第２ディスプレイ２２１ｂと連動する入力装置として、マウス、トラックボール又はタッチペンなどの他のポインティングデバイスを用いるようにしてもよい。
【００２０】
キー１０５は、筐体の一部に設けられている。携帯端末装置１００に複数のキー１０５が設けられるようにしてもよい。
【００２１】
アンテナ２１１は、例えば、セルラー方式、無線ＬＡＮ（Local Area Network）あるいは近距離通信方式などの無線データを受信する。無線制御部２１３は、無線通信の制御を行う。無線通信の制御により、電話の音声通信やメールのデータ通信が行われる。
【００２２】
オーディオ制御部２１５は、音データに関するアナログ／デジタル変換とデジタル／アナログ変換とを行う。スピーカ２１７は、アナログデータを音として出力する。マイク２１９は、音をアナログデータに変換する。電池２２５は、上述の各デバイスに対して電力を供給する。プロセッサ２０１は、電池２２５における電力供給を制御するようにしてもよい。
【００２３】
携帯端末装置１００のハードウエア構成は、この例に限定されない。携帯端末装置１００は、例えば、スマートフォン、タブレット端末、ブックリーダー、パーソナルコンピュータ、ゲーム機あるいは電子辞書装置であってもよい。以上で、携帯端末装置１００のハードウエア構成についての説明を終える。
【００２４】
情報処理装置の電力消費を抑制するために、一定期間内に操作を受けなかった場合に、表示の輝度を下げ、あるいは表示を休止させる方法がある。本実施の形態では、上述のように複数の表示装置を備えた携帯端末装置１００における電力消費を抑制するために、異なる時機に各ディスプレイの輝度を下げ、あるいは休止させるように制御する。
【００２５】
本実施の形態では、データ入力画面が一方のディスプレイに表示され、他の画面が他方のディスプレイに表示されている場合に、データ入力画面を表示している方のディスプレイの輝度を、他のディスプレイの輝度よりも先に下げる。更に、データ入力画面を表示している方のディスプレイを、他のディスプレイよりも先に休止させる。また、データ入力画面を表示している方のディスプレイに対応するタッチパッドを、他のディスプレイに対応するタッチパッドよりも先に休止させる。
【００２６】
本実施の形態におけるデータ入力画面は、他の画面の生成処理に用いられるデータの入力を受け付けるための画面である。データ入力画面は、例えば、他の画面におけるデータ入力を補助するときに用いられる。
【００２７】
データ入力画面によるデータの入力が不用になれば、データ入力画面の輝度を下げ、あるいは表示や操作の検出を休止しても、支障はない。輝度を下げ、あるいは表示や操作の検出を休止することによって、電力消費を抑えることができる。
【００２８】
データ入力画面の例について説明する。図３に、データ入力画面リストの例を示す。この図では、データ入力画面の例として、ソフトキーボード画面、ゲームコントローラ画面及び手書き文字入力画面が示されている。
【００２９】
ソフトキーボード画面は、文字コード、数字コードあるいは制御コードなどのデータを他の画面の生成処理に渡す。例えば、送信メール編集画面を生成する処理に上記データを渡すことによって、送信メール編集画面に含まれるメールの本文の欄又はあて先の欄などに文字又は数字などが表示されるようになる。
【００３０】
ゲームコントローラ画面は、方向指示や特定機能に相当する制御コードなどのデータを他の画面の生成処理に渡す。例えば、ゲーム画面を生成する処理に上記データを渡すことによって、例えば視野が変わり、あるいはキャラクターが移動するようにゲーム画面が生成される。
【００３１】
手書き文字入力画面は、手書きの軌跡に基づいて生成した文字コードを他の画面の生成処理に渡す。例えば、エディタ画面を生成する処理に上記データを渡すことによって、文字入力欄に文字が表示されるようになる。
【００３２】
続いて、各ディスプレイの表示領域について説明する。図４に、上下開きにおける表示領域の例を示す。上側の矩形は、第１タッチパネル１０１の第１ディスプレイ２２１ａの表示領域を示している。この例では、第１ディスプレイ２２１ａの表示領域内の位置が座標によって特定される。座標（Ｘ１，Ｙ１）は、第１ディスプレイ２２１ａの表示領域における左上の端点を指す。座標（Ｘ２，Ｙ１）は、第１ディスプレイ２２１ａの表示領域における右上の端点を指す。座標（Ｘ１，Ｙ２）は、第１ディスプレイ２２１ａの表示領域における左下の端点を指す。座標（Ｘ２，Ｙ２）は、第１ディスプレイ２２１ａの表示領域における右下の端点を指す。
【００３３】
下側の矩形は、第２タッチパネル１０３の第２ディスプレイ２２１ｂの表示領域を示している。上側の矩形と同様に、第２ディスプレイ２２１ｂの表示領域内の位置が座標によって特定される。座標（Ｘ３，Ｙ３）は、第２ディスプレイ２２１ｂの表示領域における左上の端点を指す。座標（Ｘ４，Ｙ３）は、第２ディスプレイ２２１ｂの表示領域における右上の端点を指す。座標（Ｘ３，Ｙ４）は、第２ディスプレイ２２１ｂの表示領域における左下の端点を指す。座標（Ｘ４，Ｙ４）は、第２ディスプレイ２２１ｂの表示領域における右下の端点を指す。
【００３４】
ここでは、座標によって第１ディスプレイ２２１ａ及び第２ディスプレイ２２１ｂの表示領域内の位置を特定する例を示したが、タッチパネル識別子と座標との組み合わせによって、第１ディスプレイ２２１ａ及び第２ディスプレイ２２１ｂの表示領域内の位置を特定するようにしてもよい。以上で、各ディスプレイの表示領域についての説明を終える。
【００３５】
上述の表示領域に画面が表示されているとき、オペレーティングシステムは、表示中の画面を管理している。次に、オペレーティングシステムによって提供される画面管理データについて説明する。
【００３６】
図５に、実施の形態１における画面管理データの例を示す。画面管理データは、表示中の画面毎のレコードを有している。また、レコードは、表示中の画面を表示している領域を示すフィールドを含んでいる。図５の第１レコードは、第１ディスプレイ２２１ａの表示領域における左上端点（Ｘ１，Ｙ１）と右下端点（Ｘ２，Ｙ２）で特定される矩形に、送信メール編集画面が表示されていることを示している。図５の第２レコードは、第２ディスプレイ２２１ｂの表示領域における左上端点（Ｘ３，Ｙ３）と右下端点（Ｘ４，Ｙ４）で特定される矩形に、ソフトキーボード画面が表示されていることを示している。
【００３７】
この例は、第１ディスプレイ２２１ａの全面に表示されている送信メール編集画面に対するデータ入力を補助するために、ソフトキーボード画面が呼び出され、呼び出されたソフトキーボード画面が第２ディスプレイ２２１ｂの全面に表示されている状況における画面管理データに相当する。以上で、オペレーティングシステムによって提供される画面管理データについての説明を終える。
【００３８】
次に、図６を用いて実施の形態１に係るモードについて説明する。実施の形態１では、通常モードの他に、省力モードＡ乃至Ｄを設ける。図６は、図５と同様に第１ディスプレイ２２１ａに送信メール編集画面を表示し、第２ディスプレイ２２１ｂにソフトキーボード画面を表示している状況に基づいている。各レコードは、各モードにおける第１ディスプレイ２２１ａの状態、第１タッチパッド２２３ａの状態、第２ディスプレイ２２１ｂの状態及び第２タッチパッド２２３ｂの状態を示している。
【００３９】
第１レコードに示すように、通常モードでは、第１ディスプレイ２２１ａと第２ディスプレイ２２１ｂとは、ともに通常輝度で各画面を表示し、第１タッチパッド２２３ａと第２タッチパッッド２２３ｂも、ともに動作する。
【００４０】
第２レコードに示すように、省力モードＡでは、ソフトキーボード画面を表示している第２ディスプレイ２２１ｂは、低輝度になる。但し、第１ディスプレイ２２１ａは、通常輝度のままである。第１タッチパッド２２３ａと第２タッチパッッド２２３ｂは、ともに動作する。
【００４１】
第３レコードに示すように、省力モードＢでは、第２ディスプレイ２２１ｂと第２タッチパッッド２２３ｂとが休止する。第１ディスプレイ２２１ａは、通常輝度のままであり、第１タッチパッド２２３ａも、動作する。
【００４２】
第４レコードに示すように、省力モードＣでは、第２ディスプレイ２２１ｂと第２タッチパッッド２２３ｂとは、休止したままである。送信メール編集画面を表示している第１ディスプレイ２２１ａは、低輝度になる。第１タッチパッド２２３ａは、動作する。
【００４３】
第５レコードに示すように、省力モードＤでは、第１ディスプレイ２２１ａと第１タッチパッド２２３ａとも、休止する。第２ディスプレイ２２１ｂと第２タッチパッッド２２３ｂとは、休止したままである。
【００４４】
上述のように、省力モードＡで、データ入力画面が先に低輝度になり、省力モードＢで、データ入力画面の表示が消え、該画面に対するタッチ検出も休止する。更に、省力モードＣで、データ入力画面以外の画面の表示が低輝度になり、省力モードＤで、データ入力画面以外の画面の表示が消え、当該画面に対するタッチ検出も休止する。
【００４５】
利用者により操作されない状態で時間が経過すると、通常モードから、省力モードＡ、省力モードＢ、省力モードＣ、更に省力モードＤの順に遷移する。
【００４６】
時間経過によるモードの遷移について説明する。以下、理解しやすくするために、便宜的にタイマーＡとタイマーＢとに分けて説明する。タイマーＡは、通常モードの開始時点から操作されない状態の期間を計測する。タイマーＢは、省力モードＢの開始時点から操作されない状態の期間を計測する。但し、タイマーＡとタイマーＢとは同時には動作しないので、ひとつのタイマーで実現するようにしてもよい。
【００４７】
図７に、タイマーＡによるタイムチャートを示す。通常モードで各画面が表示される状態になるとタイマーＡが動作を開始する。そして、通常モードで操作されない状態の期間が、時間長Ｔ１を越えると、省力モードＡに移る。また、更に操作されない状態の期間が、時間長Ｔ２を越えると、省力モードＢに移る。省力モードＢに移ると、タイマーＡによる計測は終わる。尚、操作されない状態の期間が時間長Ｔ２を越える前に、所定の操作が行われた場合には、タイマーＡはリセットされ、通常モードの初期状態に戻る。
【００４８】
図８に、タイマーＢによるタイムチャートを示す。省力モードＢに移ると、タイマーＢが動作を開始する。そして、省力モードＢで操作されない状態の期間が、時間長Ｔ３を越えると、省力モードＣに移る。また、更に操作されない状態の期間が、時間長Ｔ４を越えると、省力モードＤに移る。省力モードＤに移ると、タイマーＢによる計測は終わる。尚、操作されない状態の期間が時間長Ｔ４を越える前に、所定の操作が行われた場合には、タイマーＢはリセットされ、省力モードＢの初期状態に戻る場合がある。また、操作されない状態の期間が時間長Ｔ４を越える前に、他の所定の操作が行われた場合には、タイマーＢは終了し、通常モードの初期状態に戻る場合もある。
【００４９】
上述の時間経過による場合以外にも、所定の操作によってモードが遷移する場合がある。所定の操作は、以下で説明する復帰指示に相当する。図９に、モード遷移の例を示す。図９では、時間経過以外の復帰指示による遷移を示している。
【００５０】
図７で説明したように、タイマーＡによる計測期間が時間長Ｔ１を越えると、通常モードから省力モードＡに移る。
【００５１】
省力モードＡで復帰指示Ａの操作を受けると、携帯端末装置１００は通常モードに戻る。復帰指示Ａは、例えば、低輝度となったディスプレイに対応するタッチパッドにおけるタッチ操作により行われる。つまり、低輝度となったディスプレイの表面にタッチすることによって、低輝度となったディスプレイの表示が通常輝度に戻るように動作する。
【００５２】
例えば、図６の第２レコードに示した省力モードＡの状態で、低輝度となったソフトキーボード画面にタッチすることによって、ソフトキーボード画面は通常輝度による表示状態に戻る。尚、復帰指示Ａは、上述のタッチ操作以外の操作によって行われるようにしてもよい。
【００５３】
図７で説明したように、タイマーＡによる計測期間が時間長Ｔ２を越えると、省力モードＡから省力モードＢに移る。
【００５４】
省力モードＢで復帰指示Ｂの操作を受けると、携帯端末装置１００は通常モードに戻る。復帰指示Ｂは、例えば、キー１０５の押下操作により行われる。つまり、キー１０５を押すことによって、消えたディスプレイが通常輝度で再表示される。それに伴い、再表示されたディスプレイに対応するタッチパッドの動作も再開する。
【００５５】
例えば、図６の第３レコードに示したように、ソフトキーボード画面の表示が消えた省力モードＢの状態でキーを押すことによって、ソフトキーボード画面は通常輝度による表示状態に戻り、タッチ操作も受け付けられるようになる。尚、復帰指示Ｂは、上述のキー押下操作以外の操作によって行われるようにしてもよい。
【００５６】
図８で説明したように、タイマーＢによる計測期間が時間長Ｔ３を越えると、省力モードＢから省力モードＣに移る。
【００５７】
省力モードＣで復帰指示Ｃの操作を受けると、携帯端末装置１００は通常モードに戻る。復帰指示Ｃは、例えば、キー１０５の押下操作により行われる。つまり、キー１０５を押すことによって、消えたディスプレイが通常輝度で再表示される。それに伴い、再表示されたディスプレイに対応するタッチパッドの動作も再開する。また、低輝度となったディスプレイの表示も通常輝度に戻る。
【００５８】
例えば、図６の第４レコードに示したように、ソフトキーボード画面の表示が消え、送信メール編集画面が低輝度で表示されている省力モードＣの状態でキーを押すことによって、ソフトキーボード画面は通常輝度による表示状態に戻り、タッチ操作も受け付けられるようになる。更に、送信メール編集画面も通常輝度による表示状態に戻る。尚、復帰指示Ｃは、上述のキー押下操作以外の操作によって行われるようにしてもよい。
【００５９】
省力モードＣで復帰指示Ｄの操作を受けると、携帯端末装置１００は省力モードＢに戻る。復帰指示Ｄは、例えば、低輝度となったディスプレイに対応するタッチパッドにおけるタッチ操作により行われる。つまり、低輝度となったディスプレイの表面にタッチすることによって、通常輝度に戻るように動作する。但し、休止しているディスプレイとタッチパッドは、そのままである。
【００６０】
例えば、図６の第４レコードに示した省力モードＣの状態で、低輝度となった送信メール編集画面にタッチすることによって、送信メール編集画面は通常輝度による表示状態に戻る。但し、ソフトキーボード画面は、消えたままであり、タッチ操作も受け付けられない。尚、復帰指示Ｄは、上述のタッチ操作以外の操作によって行われるようにしてもよい。
【００６１】
図８で説明したように、タイマーＢによる計測期間が時間長Ｔ４を越えると、省力モードＣから省力モードＤに移る。
【００６２】
省力モードＤで復帰指示Ｆの操作を受けると、携帯端末装置１００は通常モードに戻る。復帰指示Ｆは、例えば、キー１０５の押下操作により行われる。つまり、キー１０５を押すことによって、消えた両方のディスプレイが通常輝度で再表示される。それに伴い、両方のタッチパッドの動作も再開する。
【００６３】
例えば、図６の第５レコードに示した省力モードＤの状態で、キー１０５を押すことによって、送信メール編集画面とソフトキーボード画面とは通常輝度による表示状態に戻る。また、送信メール編集画面とソフトキーボード画面とに対するタッチ操作も受け付けられるようになる。尚、復帰指示Ｆは、上述のキー押下操作以外の操作によって行われるようにしてもよい。以上で、モード遷移についての説明を終える。
【００６４】
図１０に、実施の形態１に係るシーケンスの例を示す。携帯端末装置１００は、オペレーティングシステム１１０１、画面制御部１１０３及びメーラー１１０５を有している。メーラー１１０５は、アプリケーションプログラムによって実現されるアプリケーション部の例である。
【００６５】
オペレーティングシステム１１０１は、アプリケーション部の要求に応じて、アプリケーション部により指定された画面の表示を仲介する。更に、オペレーティングシステム１１０１は、アプリケーション部の要求に応じて、ソフトキーボード画面を表示し、文字コード、数字コードあるいは制御コードなどのデータを受け付ける処理を行う。受け付けたコードは、アプリケーション部に渡される。
【００６６】
画面制御部１１０３は、上述のモード遷移に従って、第１ディスプレイ２２１ａ、第１タッチパッド２２３ａ、第２ディスプレイ２２１ｂ及び第２タッチパッド２２３ｂを制御する。
【００６７】
メーラー１１０５は、メールの生成、メールの送信、メールの受信、メールの一覧表示及びメール閲覧のための表示などの処理を行う。この例では、メーラー１１０５は、送信メール編集画面データを生成し、オペレーティングシステム１１０１を介して送信メール編集画面を表示させる。
【００６８】
以下、シーケンスについて説明する。メーラー１１０５は、まず送信メール編集画面データを生成し、オペレーティングシステム１１０１へ送信メール編集画面の表示を要求する（Ｓ１００１）。メーラー１１０５からオペレーティングシステム１１０１へ送られる指定画面表示の要求には、送信メール編集画面データ及び表示領域を特定するための情報が含まれるようにしてもよい。送信メール編集画面データを特定するための情報は、例えば送信メール編集画面データを格納しているバッファの識別子である。表示領域を特定するための情報は、例えば、始点を示す座標である。
【００６９】
オペレーティングシステム１１０１は、要求された指定画面を表示させる（Ｓ１００３）。この例では、第１ディスプレイ２２１ａで送信メール編集画面を表示する。
【００７０】
メーラー１１０５は、オペレーティングシステム１１０１へソフトキーボード画面の表示を要求する（Ｓ１００５）。オペレーティングシステム１１０１は、第２ディスプレイ２２１ｂでソフトキーボード画面を表示させる（Ｓ１００７）。
【００７１】
画面制御部１１０３は、オペレーティングシステム１１０１から画面管理データを取得する（Ｓ１００９）。
【００７２】
上述のように、所定の期間が経過すると、画面制御部１１０３は、オペレーティングシステム１１０１へ第２ディスプレイ２２１ｂの輝度が低くなるように輝度の変更を指示する（Ｓ１０１１）。
【００７３】
更に、所定の期間が経過すると、画面制御部１１０３は、オペレーティングシステム１１０１へ第２ディスプレイ２２１ｂを休止させ、更に第２タッチパッッド２２３ｂを休止させるように指示する（Ｓ１０１３）。
【００７４】
更に、所定の期間が経過すると、画面制御部１１０３は、オペレーティングシステム１１０１へ第１ディスプレイ２２１ａの輝度が低くなるように輝度の変更を指示する（Ｓ１０１５）。
【００７５】
更に、所定の期間が経過すると、画面制御部１１０３は、オペレーティングシステム１１０１へ第１ディスプレイ２２１ａを休止させ、更に第１タッチパッド２２３ａを休止させるように指示する（Ｓ１０１７）。以上でシーケンスについての説明を終える。
【００７６】
図１１に、実施の形態１に係る携帯端末装置１００のモジュール構成例を示す。画面制御部１１０３は、取得部１１１１、画面管理データ記憶部１１１３、特定部１１１５、データ入力画面リスト格納部１１１７、判定部１１１９、タイマー１１２１、低減部１１２３、復帰部１１２５及び休止部１１２７を有している。
【００７７】
取得部１１１１は、オペレーティングシステム１１０１から管理データ（例えば、画面管理データ）を取得する。画面管理データ記憶部１１１３は、画面管理データを記憶する。特定部１１１５は、データ入力画面を表示しているタッチパネルを特定する。データ入力画面リスト格納部１１１７は、図３に示したデータ入力画面リストを格納している。判定部１１１９は、モードの遷移に係る判定を行う。タイマー１１２１は、経過時間の計測を行う。低減部１１２３は、第１ディスプレイ２２１ａ又は第２ディスプレイ２２１ｂの輝度を下げるための輝度の変更を指示する。復帰部１１２５は、第１ディスプレイ２２１ａ又は第２ディスプレイ２２１ｂの輝度を戻すための輝度の変更を指示する。更に、復帰部１１２５は、休止している第１ディスプレイ２２１ａと第１タッチパッド２２３ａとを復帰させる指示、あるいは休止している第２ディスプレイ２２１ｂと第２タッチパッド２２３ｂとを復帰させる指示を行う。休止部１１２７は、第１ディスプレイ２２１ａと第１タッチパッド２２３ａとを休止させる指示、あるいは第２ディスプレイ２２１ｂと第２タッチパッド２２３ｂとを休止させる指示を行う。
【００７８】
図１２に、実施の形態１に係る画面制御部１１０３によるメイン処理フローの例を示す。取得部１１１１は、オペレーティングシステム１１０１から画面管理データを取得し、取得した画面管理データを画面管理データ記憶部１１１３に記憶させる（Ｓ１２０１）。特定部１１１５は、画面管理データにデータ入力画面が含まれるか否かを判定する（Ｓ１２０３）。本実施の形態では、特定部１１１５は、データ入力画面リスト格納部１１１７からデータ入力画面を読み取る。
【００７９】
画面管理データにデータ入力画面が含まれないと判定した場合には、Ｓ１２０１の処理に戻る。
【００８０】
画面管理データにデータ入力画面が含まれると判定した場合には、特定部１１１５は、データ入力画面を表示しているタッチパネルを特定する（Ｓ１２０５）。そして、制御処理が実行される（Ｓ１２０７）。
【００８１】
図１３乃至図１７に、制御処理フローの例を示す。まず、図１３に示した制御処理について説明する。判定部１１１９は、タイマーＡを起動する（Ｓ１３０１）。判定部１１１９は、Ｓ１２０５で特定したタッチパネルのタッチパッドにおけるイベントが発生したか否かを判定する（Ｓ１３０３）。Ｓ１２０５で特定したタッチパネルのタッチパッドにおけるイベントが発生したと判定した場合には、判定部１１１９は、タイマーＡを停止させ（Ｓ１３０５）、制御処理を終え、図１２のＳ１２０１の処理に戻る。
【００８２】
Ｓ１２０５で特定したタッチパネルにおけるイベントが発生していないと判定した場合には、取得部１１１１は、画面管理データを取得する（Ｓ１３０７）。判定部１１１９は、画面管理データが更新されたか否かを判定する（Ｓ１３０９）。判定部１１１９は、Ｓ１３０７で取得した画面管理データが、画面管理データ記憶部１１１３に記憶している画面管理データと異なる場合に、画面管理データが更新されたと判定する。
【００８３】
画面管理データが更新されたと判定した場合には、判定部１１１９は、タイマーＡを停止させ（Ｓ１３０５）、制御処理を終え、図１２のＳ１２０１の処理に戻る。例えば、ソフトキーボード画面が表示されなくなった場合には、制御処理を終え、図１２のＳ１２０１の処理に戻る。
【００８４】
画面管理データが更新されていないと判定した場合には、判定部１１１９は、タイマーＡで計測している経過時間が時間長Ｔ１を越えたか否かを判定する（Ｓ１３１１）。タイマーＡで計測している経過時間が時間長Ｔ１を越えていないと判定した場合には、Ｓ１３０３の処理に戻る。Ｓ１３０３からＳ１３１１までの間の繰り返し処理は、通常モードの継続に相当する。
【００８５】
タイマーＡで計測している経過時間が時間長Ｔ１を越えた場合には、省力モードＡへ移行する。そのため、タイマーＡで計測している経過時間が時間長Ｔ１を越えたと判定した場合には、低減部１１２３は、Ｓ１２０５で特定したタッチパネルのディスプレイの輝度を下げるように指示する（Ｓ１３１３）。そして、端子Ａを介して図１４のＳ１４０１の処理に移る。
【００８６】
続いて、図１４に示した制御処理について説明する。判定部１１１９は、復帰指示Ａを受けたか否かを判定する（Ｓ１４０１）。例えば、Ｓ１２０５で特定したタッチパネルのタッチパッドにおけるイベントが発生した場合に、復帰指示Ａを受けたと判定する。
【００８７】
復帰指示Ａを受けたと判定した場合には、復帰部１１２５は、Ｓ１２０５で特定したタッチパネルのディスプレイの輝度を戻すように輝度の変更を指示する（Ｓ１４０３）。更に、判定部１１１９は、タイマーＡを停止させ（Ｓ１４０５）、制御処理を終え、図１２のＳ１２０１の処理に戻る。
【００８８】
復帰指示Ａを受けていないと判定した場合には、取得部１１１１は、画面管理データを取得する（Ｓ１４０７）。判定部１１１９は、Ｓ１３０９と同様に、画面管理データが更新されたか否かを判定する（Ｓ１４０９）。
【００８９】
画面管理データが更新されたと判定した場合には、復帰部１１２５は、Ｓ１２０５で特定したタッチパネルのディスプレイの輝度を戻すように輝度の変更を指示する（Ｓ１４０３）。更に、判定部１１１９は、タイマーＡを停止させ（Ｓ１４０５）、制御処理を終え、図１２のＳ１２０１の処理に戻る。例えば、送信メール編集画面が表示されなくなった場合には、通常モードに戻る。
【００９０】
画面管理データが更新されていないと判定した場合には、判定部１１１９は、タイマーＡで計測している経過時間が時間長Ｔ２を越えたか否かを判定する（Ｓ１４１１）。タイマーＡで計測している経過時間が時間長Ｔ２を越えていないと判定した場合には、Ｓ１４０１の処理に戻る。Ｓ１４０１からＳ１４１１までの間の繰り返し処理は、省力モードＡの継続に相当する。
【００９１】
タイマーＡで計測している経過時間が時間長Ｔ２を越えた場合には、省力モードＢへ移行する。そのため、タイマーＡで計測している経過時間が時間長Ｔ２を越えたと判定した場合には、休止部１１２７は、Ｓ１２０５で特定したタッチパネルのディスプレイを休止させ（Ｓ１４１３）、Ｓ１２０５で特定したタッチパネルのタッチパッドを休止させる（Ｓ１４１５）。更に、判定部１１１９は、タイマーＡを停止させる（Ｓ１４１７）。そして、端子Ｂを介して図１５のＳ１５０１の処理に移る。
【００９２】
続いて、図１５に示した制御処理について説明する。判定部１１１９は、タイマーＢを起動する（Ｓ１５０１）。判定部１１１９は、復帰指示Ｂを受けたか否かを判定する（Ｓ１５０３）。例えば、キー１０５の押下イベントが発生した場合に、復帰指示Ｂを受けたと判定する。
【００９３】
復帰指示Ｂを受けたと判定した場合には、復帰部１１２５は、休止させたディスプレイを復帰させ（Ｓ１５０５）、復帰させたディスプレイの輝度を戻すように輝度の変更を指示する（Ｓ１５０７）。更に、復帰部１１２５は、休止させたタッチパッドを復帰させる（Ｓ１５０９）。また、判定部１１１９は、タイマーＢを停止させ（Ｓ１５１１）、制御処理を終え、図１２のＳ１２０１の処理に戻る。
【００９４】
復帰指示Ｂを受けていないと判定した場合には、取得部１１１１は、画面管理データを取得する（Ｓ１５１３）。判定部１１１９は、Ｓ１３０９と同様に、画面管理データが更新されたか否かを判定する（Ｓ１５１５）。
【００９５】
画面管理データが更新されたと判定した場合には、復帰部１１２５は、休止させたディスプレイを復帰させ（Ｓ１５０５）、復帰させたディスプレイの輝度を戻すように輝度の変更を指示する（Ｓ１５０７）。更に、復帰部１１２５は、休止させたタッチパッドを復帰させる（Ｓ１５０９）。そして、判定部１１１９は、タイマーＢを停止させ（Ｓ１５１１）、制御処理を終え、図１２のＳ１２０１の処理に戻る。例えば、送信メール編集画面が表示されなくなった場合には、通常モードに戻る。
【００９６】
画面管理データが更新されていないと判定した場合には、判定部１１１９は、他方のタッチパネル（Ｓ１２０５で特定したタッチパネル以外のタッチパネル）のタッチパッドにおけるイベントが発生したか否かを判定する（Ｓ１５１７）。他方のタッチパネルのタッチパッドにおけるイベントが発生したと判定した場合には、判定部１１１９は、タイマーＢを停止させ（Ｓ１５１９）、Ｓ１５０１に戻り再びタイマーＢを起動する。つまり、判定部１１１９は、タイマーＢをリセットして、再スタートさせる。
【００９７】
他方のタッチパネルのタッチパッドにおけるイベントが発生していないと判定した場合には、判定部１１１９は、タイマーＢで計測している経過時間が時間長Ｔ３を越えたか否かを判定する（Ｓ１５２１）。
【００９８】
タイマーＢで計測している経過時間が時間長Ｔ３を越えていないと判定した場合には、Ｓ１５０３の処理に戻る。Ｓ１５０３からＳ１５２１までの間の繰り返し処理は、省力モードＢの継続に相当する。
【００９９】
タイマーＢで計測している経過時間が時間長Ｔ３を越えた場合には、省力モードＣへ移行する。そのため、タイマーＢで計測している経過時間が時間長Ｔ３を越えたと判定した場合には、低減部１１２３は、他方のタッチパネル（Ｓ１２０５で特定したタッチパネル以外のタッチパネル）のディスプレイの輝度を下げるように指示する（Ｓ１５２３）。そして、端子Ｃを介して図１６のＳ１６０１の処理に移る。
【０１００】
続いて、図１６に示した制御処理について説明する。判定部１１１９は、復帰指示Ｃを受けたか否かを判定する（Ｓ１６０１）。例えば、キー１０５の押下イベントが発生した場合に、復帰指示Ｃを受けたと判定する。
【０１０１】
復帰指示Ｃを受けたと判定した場合には、復帰部１１２５は、休止させたディスプレイを復帰させ（Ｓ１６０３）、復帰させたディスプレイの輝度を戻すように輝度の変更を指示する（Ｓ１６０５）。更に、復帰部１１２５は、休止させたタッチパッドを復帰させる（Ｓ１６０７）。また、復帰部１１２５は、他方のタッチパネル（Ｓ１２０５で特定したタッチパネル以外のタッチパネル）のディスプレイの輝度を戻すように輝度の変更を指示する（Ｓ１６０９）。判定部１１１９は、タイマーＢを停止させ（Ｓ１６１１）、制御処理を終え、図１２のＳ１２０１の処理に戻る。
【０１０２】
復帰指示Ｃを受けていないと判定した場合には、取得部１１１１は、画面管理データを取得する（Ｓ１６１３）。判定部１１１９は、Ｓ１３０９と同様に、画面管理データが更新されたか否かを判定する（Ｓ１６１５）。
【０１０３】
画面管理データが更新されたと判定した場合には、復帰部１１２５は、休止させたディスプレイを復帰させ（Ｓ１６０３）、復帰させたディスプレイの輝度を戻すように輝度の変更を指示する（Ｓ１６０５）。更に、復帰部１１２５は、休止させたタッチパッドを復帰させる（Ｓ１６０７）。また、復帰部１１２５は、他方のタッチパネル（Ｓ１２０５で特定したタッチパネル以外のタッチパネル）のディスプレイの輝度を戻すように輝度の変更を指示する（Ｓ１６０９）。判定部１１１９は、タイマーＢを停止させ（Ｓ１６１１）、制御処理を終え、図１２のＳ１２０１の処理に戻る。例えば、送信メール編集画面が表示されなくなった場合には、通常モードに戻る。
【０１０４】
画面管理データが更新されていないと判定した場合には、判定部１１１９は、復帰指示Ｄを受けたか否かを判定する（Ｓ１６１７）。判定部１１１９は、例えば、他方のタッチパネル（Ｓ１２０５で特定したタッチパネル以外のタッチパネル）のタッチパッドにおけるイベントが発生した場合に、復帰指示Ｄを受けたと判定する。
【０１０５】
復帰指示Ｄを受けたと判定した場合には、復帰部１１２５は、他方のタッチパネル（Ｓ１２０５で特定したタッチパネル以外のタッチパネル）のディスプレイの輝度を戻すように輝度の変更を指示する（Ｓ１６１９）。判定部１１１９は、タイマーＢを停止させ（Ｓ１６２１）、端子Ｂを介してＳ１５０１に戻り再びタイマーＢを起動する。つまり、判定部１１１９は、タイマーＢをリセットし、再スタートさせる。
【０１０６】
復帰指示Ｄを受けていないと判定した場合には、判定部１１１９は、タイマーＢで計測している経過時間が時間長Ｔ４を越えたか否かを判定する（Ｓ１６２３）。
【０１０７】
タイマーＢで計測している経過時間が時間長Ｔ４を越えていないと判定した場合には、Ｓ１６０１の処理に戻る。Ｓ１６０１からＳ１６２３までの間の繰り返し処理は、省力モードＣの継続に相当する。
【０１０８】
タイマーＢで計測している経過時間が時間長Ｔ４を越えた場合には、省力モードＤへ移行する。そのため、タイマーＢで計測している経過時間が時間長Ｔ４を越えたと判定した場合には、休止部１１２７は、他方のタッチパネル（Ｓ１２０５で特定したタッチパネル以外のタッチパネル）のディスプレイを休止させ（Ｓ１６２５）、更に、同じく他方のタッチパネルのタッチパッドを休止させる（Ｓ１６２７）。そして、判定部１１１９は、タイマーＢを停止させる（Ｓ１６２９）。そして、端子Ｄを介して図１７のＳ１７０１の処理に移る。
【０１０９】
続いて、図１７に示した制御処理について説明する。判定部１１１９は、復帰指示Ｆを受けたか否かを判定する（Ｓ１７０１）。例えば、キー１０５の押下イベントが発生した場合に、復帰指示Ｆを受けたと判定する。
【０１１０】
復帰指示Ｆを受けたと判定した場合には、復帰部１１２５は、Ｓ１４１３で先に休止させたディスプレイを復帰させ（Ｓ１７０３）、復帰させたディスプレイの輝度を戻すように輝度の変更を指示する（Ｓ１７０５）。更に、復帰部１１２５は、Ｓ１４１５で先に休止させたタッチパッドを復帰させる（Ｓ１７０７）。
【０１１１】
続いて、復帰部１１２５は、Ｓ１６２５で後に休止させたディスプレイを復帰させ（Ｓ１７０９）、復帰させたディスプレイの輝度を戻すように輝度の変更を指示する（Ｓ１７１１）。更に、復帰部１１２５は、Ｓ１６２７で後に休止させたタッチパッドを復帰させる（Ｓ１７１３）。そして、制御処理を終え、図１２のＳ１２０１の処理に戻る。
【０１１２】
復帰指示Ｆを受けていないと判定した場合には、取得部１１１１は、画面管理データを取得する（Ｓ１７１５）。判定部１１１９は、Ｓ１３０９と同様に、画面管理データが更新されたか否かを判定する（Ｓ１７１７）。
【０１１３】
画面管理データが更新されたと判定した場合には、復帰部１１２５は、Ｓ１４１３で先に休止させたディスプレイを復帰させ（Ｓ１７０３）、復帰させたディスプレイの輝度を戻すように輝度の変更を指示する（Ｓ１７０５）。更に、復帰部１１２５は、Ｓ１４１５で先に休止させたタッチパッドを復帰させる（Ｓ１７０７）。
【０１１４】
続いて、復帰部１１２５は、Ｓ１６２５で後に休止させたディスプレイを復帰させ（Ｓ１７０９）、復帰させたディスプレイの輝度を戻すように輝度の変更を指示する（Ｓ１７１１）。更に、復帰部１１２５は、Ｓ１６２７で後に休止させたタッチパッドを復帰させる（Ｓ１７１３）。そして、制御処理を終え、図１２のＳ１２０１の処理に戻る。
【０１１５】
画面管理データが更新されていないと判定した場合には、Ｓ１７０１の処理に戻る。以上で、処理フローの説明を終える。
【０１１６】
本実施の形態によれば、データ入力の受け付けを終えたことにより不用になったと推測され得るデータ入力画面（例えば、ソフトキーボード画面）を継続して表示することによる電力消費を抑制することができる。
【０１１７】
また、不用になったと推測され得るデータ入力画面（例えば、ソフトキーボード画面）の表示を止めることにより、電力消費を抑制することができる。
【０１１８】
また、不用になったと推測され得るデータ入力画面（例えば、ソフトキーボード画面）の表示に応じた操作の待ち受けも止めることにより、電力消費を更に抑制することができる。
【０１１９】
［実施の形態２］
上述の実施の形態では、データ入力画面リストに基づいてデータ入力画面を表示させているタッチパネルを特定する例を示したが、本実施の形態では、特定の対象プログラム毎に設定されている対象タッチパネルを特定する例について説明する。
【０１２０】
上述の実施の形態では、メーラー１１０５（アプリケーション部の例）が提供する送信メール編集画面とオペレーティングシステム１１０１が提供するソフトキーボード画面とを表示する例を示したが、本実施の形態では、音楽プレーヤー（アプリケーション部の例）が提供するイコライザー画面とスペクトラム表示画面とを表示する例を示す。
【０１２１】
イコライザー画面は、例えば再生する音信号の周波数特性を変更するための制御データの入力を受け付けるための画面である。スペクトラム表示画面は、例えば、制御データに応じて変更された音信号の周波数特性をグラフ表示するため画面である。
【０１２２】
本実施の形態では、左右状態における使用例を示す。図１８は、左右開き状態における携帯端末装置１００の斜視図である。第１タッチパネル１０１の第１ディスプレイ２２１ａは、左側の画面を表示し、第１タッチパネル１０１の第１タッチパッド２２３ａは、左側の画面上のタッチ操作を検出する。この例では、第１タッチパネル１０１の第１ディスプレイ２２１ａは、イコライザー画面を表示し、第１タッチパネル１０１の第１タッチパッド２２３ａは、イコライザー画面上のタッチ操作を検出する。イコライザー画面は、音楽プレーヤーがオペレーティングシステム１１０１を介して表示させている。
【０１２３】
第２タッチパネル１０３の第２ディスプレイ２２１ｂは、右側の画面を表示し、第２タッチパネル１０３の第２タッチパッッド２２３ｂは、右側の画面上のタッチ操作を検出する。この例では、第２タッチパネル１０３の第２ディスプレイ２２１ｂは、スペクトラム表示画面を表示している。スペクトラム表示画面は、音楽プレーヤーがオペレーティングシステム１１０１を介して表示させている。
【０１２４】
従って、イコライザー画面上のタッチ操作に応じて、スペクトラム表示画面に表示されるグラフの様子は変わる。
【０１２５】
本実施の形態における携帯端末装置１００は、画面制御の対象となるプログラムのリストを予め備えている。図１９に、対象プログラムリストの例を示す。対象プログラムの例として、第１レコードにおいて音楽プレーヤーを示し、第２レコードにおいてゲームを示している。
【０１２６】
また、対象プログラムが提供する複数画面のうち、先に輝度を下げ、更に先に休止させる画面を表示させるタッチパネル（対象タッチパネルという。）を特定する情報を含んでいる。
【０１２７】
この例では、音楽プレーヤーが提供するイコライザー画面は、スペクトラム表示画面の生成に用いられる制御データの入力を受け付けるので、データ入力画面の一種である。この例では、データ入力画面であるイコライザー画面が表示される第１タッチパネルが対象タッチパネルに定められている。イコライザー画面による操作が行われない状態が続く場合に、イコライザー画面を表示する第１タッチパネルにおける輝度を下げ、あるいは第１タッチパネルを休止させることによって、電力消費を抑える。
【０１２８】
更に、ゲームが提供するコントローラ画面は、ゲーム画面の生成に用いられる制御データの入力を受け付けるので、データ入力画面の一種である。この例では、データ入力画面であるコントローラ画面を表示する第２タッチパネルを対象タッチパネルに定めている。コントローラ画面による操作が行われない状態が続く場合に、コントローラ画面を表示する第２タッチパネルにおける輝度を下げ、あるいは第２タッチパネルを休止させることによって、電力消費を抑える。
【０１２９】
図２０を用いて、実施の形態２に係るモードについて説明する。上述の実施の形態と同様に、通常モードの他に、省力モードＡ乃至Ｄを設ける。図２０は、第１ディスプレイ２２１ａにイコライザー画面を表示し、第２ディスプレイ２２１ｂにスペクトラム表示画面を表示している状態を前提としている。各レコードは、図６と同様に、各モードにおける第１ディスプレイ２２１ａの状態、第１タッチパッド２２３ａの状態、第２ディスプレイ２２１ｂの状態及び第２タッチパッッド２２３ｂの状態を示している。
【０１３０】
第１レコードに示すように、通常モードでは、第１ディスプレイ２２１ａと第２ディスプレイ２２１ｂとは、ともに通常輝度で各画面を表示し、第１タッチパッド２２３ａと第２タッチパッッド２２３ｂも、ともに動作する。
【０１３１】
第２レコードに示すように、省力モードＡでは、イコライザー画面を表示している第１ディスプレイ２２１ａは、低輝度になる。但し、第２ディスプレイ２２１ｂは、通常輝度のままである。第１タッチパッド２２３ａと第２タッチパッッド２２３ｂは、ともに動作する。
【０１３２】
第３レコードに示すように、省力モードＢでは、第１ディスプレイ２２１ａと第１タッチパッド２２３ａとが休止する。第２ディスプレイ２２１ｂは、通常輝度のままであり、第２タッチパッッド２２３ｂも、動作する。
【０１３３】
第４レコードに示すように、省力モードＣでは、第１ディスプレイ２２１ａと第１タッチパッド２２３ａとは、休止したままである。スペクトラム表示画面を表示している第２ディスプレイ２２１ｂは、低輝度になる。第２タッチパッッド２２３ｂは、動作する。
【０１３４】
第５レコードに示すように、省力モードＤでは、第２ディスプレイ２２１ｂと第２タッチパッッド２２３ｂとも、休止する。第１ディスプレイ２２１ａと第１タッチパッド２２３ａとは、休止したままである。
【０１３５】
このように、省力モードＡで、イコライザー画面が先に低輝度になり、省力モードＢで、イコライザー画面の表示が消え、イコライザー画面に対するタッチ検出も休止する。更に、省力モードＣで、スペクトラム表示画面の表示が低輝度になり、省力モードＤで、スペクトラム表示画面の表示が消え、スペクトラム表示画面に対するタッチ検出も休止する。
【０１３６】
上述の実施の形態と同様に、操作されない状態で時間が経過すると、通常モードから、省力モードＡ、省力モードＢ、省力モードＣ、更に省力モードＤの順に遷移する。モードの遷移は、図９を用いて説明した通りである。
【０１３７】
図２１に、実施の形態２に係るシーケンスの例を示す。本実施の形態における携帯端末装置１００は、オペレーティングシステム１１０１及び画面制御部１１０３の他に、音楽プレーヤー２２０１を有している。音楽プレーヤー２２０１は、音楽データを再生するとともに、イコライザー画面とスペクトラム表示画面とを提供するアプリケーション部である。
【０１３８】
音楽プレーヤー２２０１は、スペクトラム表示画面データを生成し、オペレーティングシステム１１０１へスペクトラム表示画面の表示を要求する（Ｓ２１０１）。音楽プレーヤー２２０１からオペレーティングシステム１１０１へ送られる指定画面表示の要求には、スペクトラム表示画面データ及び表示領域を特定するための情報が含まれるようにしてもよい。スペクトラム表示画面データを特定するための情報は、例えばスペクトラム表示画面データを格納しているバッファの識別子である。表示領域を特定するための情報は、例えば、始点を示す座標である。
【０１３９】
オペレーティングシステム１１０１は、要求された指定画面を表示させる（Ｓ２１０３）。この例では、第２ディスプレイ２２１ｂがスペクトラム表示画面を表示する。尚、スペクトラム表示画面データは随時更新され、第２ディスプレイ２２１ｂは更新されたスペクトラム表示画面を表示する。
【０１４０】
音楽プレーヤー２２０１は、更に、イコライザー画面データを生成し、オペレーティングシステム１１０１へイコライザー画面の表示を要求する（Ｓ２１０５）。音楽プレーヤー２２０１からオペレーティングシステム１１０１へ送られる指定画面表示の要求には、イコライザー画面データ及び表示領域を特定するための情報が含まれるようにしてもよい。イコライザー画面データを特定するための情報は、例えばイコライザー画面データを格納しているバッファの識別子である。表示領域を特定するための情報は、例えば、始点を示す座標である。
【０１４１】
オペレーティングシステム１１０１は、要求された指定画面を表示させる（Ｓ２１０７）。この例では、第１ディスプレイ２２１ａがイコライザー画面を表示する。尚、イコライザー画面データは操作に応じて更新され、第１ディスプレイ２２１ａは更新されたスペクトラム表示画面を表示する。
【０１４２】
画面制御部１１０３は、オペレーティングシステム１１０１からプロセス管理データを取得する（Ｓ２１０９）。画面制御部１１０３は、プロセス管理データによって、制御の対象となるプログラムとディスプレイとを特定する。
【０１４３】
上述の実施の形態と同様に、所定の期間が経過すると、画面制御部１１０３は、オペレーティングシステム１１０１へ第１ディスプレイ２２１ａの輝度が低くなるように輝度の変更を指示する（Ｓ２１１１）。
【０１４４】
更に、所定の期間が経過すると、画面制御部１１０３は、オペレーティングシステム１１０１へ第１ディスプレイ２２１ａを休止させ、更に第１タッチパッド２２３ａを休止させるように指示する（Ｓ２１１３）。
【０１４５】
更に、所定の期間が経過すると、画面制御部１１０３は、オペレーティングシステム１１０１へ第２ディスプレイ２２１ｂの輝度が低くなるように輝度の変更を指示する（Ｓ２１１５）。
【０１４６】
更に、所定の期間が経過すると、画面制御部１１０３は、オペレーティングシステム１１０１へ第２ディスプレイ２２１ｂを休止させ、更に第２タッチパッッド２２３ｂを休止させるように指示する（Ｓ２１１７）。以上でシーケンスの説明を終える。
【０１４７】
次に、図２２を用いて、実施の形態２に係る携帯端末装置１００のモジュール構成例について説明する。携帯端末装置１００は、実施の形態２に係るアプリケーション部として、メーラー１１０５に代えて音楽プレーヤー２２０１を有している。また、実施の形態２に係る画面制御部１１０３は、データ入力画面リスト格納部１１１７に代えて対象プログラムリスト格納部２２０３を有している。対象プログラムリスト格納部２２０３は、例えば図１９に示した対象プログラムリストを格納している。
【０１４８】
続いて、図２３を用いて、実施の形態２に係る画面制御部１１０３によるメイン処理フローについて説明する。取得部１１１１は、オペレーティングシステム１１０１から画面管理データとプロセス管理データとを取得し、取得した画面管理データを画面管理データ記憶部１１１３に記憶させる（Ｓ２３０１）。
【０１４９】
特定部１１１５は、プロセス管理データに、いずれかの対象プログラムによるプロセスが含まれているか否かを判定する（Ｓ２３０３）。
【０１５０】
プロセス管理データに、いずれの対象プログラムによるプロセスも含まれていないと判定した場合には、Ｓ２３０１の処理に戻る。
【０１５１】
プロセス管理データに、いずれかの対象プログラムによるプロセスが含まれていると判定した場合に、特定部１１１５は、当該対象プログラムに対応する対象タッチパネルを特定する（Ｓ２３０５）。そして、制御処理が実行される（Ｓ２３０７）。この例では、音楽プレーヤー２２０１のプロセスがプロセス管理データに含まれていると判定される。
【０１５２】
制御処理は、上述の実施の形態と同様である。尚、本実施の形態において、図１３のＳ１３１３、図１４のＳ１４１３及びＳ１４１５における「特定したタッチパネル」は、Ｓ２３０５で特定したタッチパネルである。
【０１５３】
また、本実施の形態において、図１５のＳ１５２３、図１６のＳ１６２５及びＳ１６２７における「他方のタッチパネル」は、Ｓ２３０５で特定したタッチパネル以外のタッチパネルである。
【０１５４】
本実施の形態では、実施の形態１に示したデータ入力画面リスト（図３）を用いなくても、データ入力画面に係るディスプレイとタッチパッドとを特定し、輝度変更や休止を行うことができる。
【０１５５】
本実施の形態によれば、データ入力の受け付けを終えたことにより不用になったと推測され得るデータ入力画面（例えば、イコライザー画面）を継続して表示することによる電力消費を抑制することができる。
【０１５６】
また、不用になったと推測され得るデータ入力画面（例えば、イコライザー画面）の表示を止めることにより、電力消費を抑制することができる。
【０１５７】
また、不用になったと推測され得るデータ入力画面（例えば、イコライザー画面）の表示に応じた操作の待ち受けも止めることにより、電力消費を更に抑制することができる。
【０１５８】
［実施の形態３］
上述の実施の形態では、データ入力画面を表示させているタッチパネルの電力消費を抑制する例を示したが、本実施の形態では、一方のタッチパネルに表示される画面を呼び出すための操作を促した別の画面を表示している他方のタッチパネルに係る電力消費を抑制する例について説明する。
【０１５９】
本実施の形態では、メーラー１１０５（アプリケーション部の例）が提供する受信メール閲覧画面と、受信メール中のハイパーリンクに基づいて呼び出されたブラウザが提供するブラウザ画面とを表示する例を示す。
【０１６０】
この例では、ブラウザ画面を呼び出すための操作を促した受信メール閲覧画面を表示しているタッチパネルのディスプレイの輝度を先に下げ、更に、当該タッチパネルのディスプレイにおける表示と当該タッチパネルのタッチパッドにおけるタッチ検出とを先に休止させる。
【０１６１】
このように呼び出し元の画面が不用になっていれば、呼び出し先の画面が表示された時点で、呼び出し元の画面を表示するディスプレイの輝度を先に下げ、あるいは、当該ディスプレイにおける表示と当該ディスプレイと対応するタッチパッドにおけるタッチ検出を休止させても支障は生じない。
【０１６２】
図２４に、実施の形態３に係る画面管理データの例を示す。図５と同様に、画面管理データは、表示中の画面毎のレコードを有している。本実施の形態における画面管理データのレコードは、表示中の画面を表示している領域のフィールドの他に、動作中プログラムを示すフィールドと呼び出し元プログラムを示すフィールドとを含んでいる。
【０１６３】
動作中プログラムは、表示中の画面を生成し、オペレーティングシステム１１０１を介して当該画面を表示しているアプリケーション部を実現しているプログラムである。呼び出し元プログラムは、動作中プログラムを呼び出したアプリケーション部を実現しているプログラムである。
【０１６４】
第１レコードは、第２ディスプレイ２２１ｂにおける左上端点の座標（Ｘ７，Ｙ７）と右下端点の座標（Ｘ８，Ｙ８）で特定される表示領域に表示されている受信メール閲覧画面はメーラー１１０５によって生成され、メーラーがオペレーティングシステム１１０１を介して受信メール閲覧画面を表示させていることを示している。
【０１６５】
第２レコードは、第１ディスプレイ２２１ａにおける左上端点の座標（Ｘ５，Ｙ５）と右下端点の座標（Ｘ６，Ｙ６）で特定される表示領域に表示されているブラウザ画面はブラウザによって生成され、ブラウザがオペレーティングシステムを介してブラウザ画面を表示させていることを示している。第２レコードは、更に、ブラウザがメーラーによって呼び出されたことを示している。
【０１６６】
呼び出し元のプログラムと呼び出し先のプログラムとの呼び出し関係は、プロセス管理データなど他のデータに基づいて特定されるようにしてもよい。
【０１６７】
左右開きにおける各ディスプレイの表示領域について説明する。図２５に、左右開きにおける表示領域の例を示す。左側の矩形は、第１タッチパネル１０１の第１ディスプレイ２２１ａの表示領域を示している。この例では、第１ディスプレイ２２１ａの表示領域内の位置が座標によって示される。座標（Ｘ５，Ｙ５）は、第１ディスプレイ２２１ａの表示領域における左上の端点を指す。座標（Ｘ６，Ｙ５）は、第１ディスプレイ２２１ａの表示領域における右上の端点を指す。座標（Ｘ５，Ｙ６）は、第１ディスプレイ２２１ａの表示領域における左下の端点を指す。座標（Ｘ６，Ｙ６）は、第１ディスプレイ２２１ａの表示領域における右下の端点を指す。
【０１６８】
右側の矩形は、第２タッチパネル１０３の第２ディスプレイ２２１ｂの表示領域を示している。この例では、第２ディスプレイ２２１ｂの表示領域の位置が座標によって示される。座標（Ｘ７，Ｙ７）は、第２ディスプレイ２２１ｂの表示領域における左上の端点を指す。座標（Ｘ８，Ｙ７）は、第２ディスプレイ２２１ｂの表示領域における右上の端点を指す。座標（Ｘ７，Ｙ８）は、第２ディスプレイ２２１ｂの表示領域における左下の端点を指す。座標（Ｘ８，Ｙ８）は、第２ディスプレイ２２１ｂの表示領域における右下の端点を指す。
【０１６９】
ここでは、座標によって第１ディスプレイ２２１ａ及び第２ディスプレイ２２１ｂの表示領域内の位置を特定する例を示したが、タッチパネル識別子と座標との組み合わせによって、第１ディスプレイ２２１ａ及び第２ディスプレイ２２１ｂの表示領域内の位置を特定するようにしてもよい。以上で、各ディスプレイの表示領域についての説明を終える。
【０１７０】
次に、図２６を用いて、実施の形態３に係るモードについて説明する。上述の実施の形態と同様に、通常モードの他に、省力モードＡ乃至Ｄを設ける。図２６は、第１ディスプレイ２２１ａにブラウザ画面を表示し、第２ディスプレイ２２１ｂに受信メール閲覧画面を表示している状況に基づいている。各レコードは、図６及び図２０と同様に、各モードにおける第１ディスプレイ２２１ａの状態、第１タッチパッド２２３ａの状態、第２ディスプレイ２２１ｂの状態及び第２タッチパッッド２２３ｂの状態を示している。
【０１７１】
第１レコードに示すように、通常モードでは、第１ディスプレイ２２１ａと第２ディスプレイ２２１ｂは、ともに通常輝度で各画面を表示し、第１タッチパッド２２３ａと第２タッチパッッド２２３ｂも、ともに動作する。
【０１７２】
第２レコードに示すように、省力モードＡでは、受信メール閲覧画面を表示している第２ディスプレイ２２１ｂは、低輝度になる。但し、第１ディスプレイ２２１ａは、通常輝度のままである。第１タッチパッド２２３ａと第２タッチパッッド２２３ｂは、ともに動作する。
【０１７３】
第３レコードに示すように、省力モードＢでは、第２ディスプレイ２２１ｂと第２タッチパッッド２２３ｂとが休止する。第１ディスプレイ２２１ａは、通常輝度のままであり、第１タッチパッド２２３ａも、動作する。
【０１７４】
第４レコードに示すように、省力モードＣでは、第２ディスプレイ２２１ｂと第２タッチパッッド２２３ｂとは、休止したままである。ブラウザ画面を表示している第１ディスプレイ２２１ａは、低輝度になる。第１タッチパッド２２３ａは、動作する。
【０１７５】
第５レコードに示すように、省力モードＤでは、第１ディスプレイ２２１ａと第１タッチパッド２２３ａとも、休止する。第２ディスプレイ２２１ｂと第２タッチパッッド２２３ｂとは、休止したままである。
【０１７６】
このように、省力モードＡで、受信メール閲覧画面が先に低輝度になり、省力モードＢで、受信メール閲覧画面の表示が消え、受信メール閲覧画面に対するタッチ検出も休止する。更に、省力モードＣで、ブラウザ画面の表示が低輝度になり、省力モードＤで、ブラウザ画面の表示が消え、ブラウザ画面に対するタッチ検出も休止する。
【０１７７】
上述の実施の形態と同様に、操作されない状態で時間が経過すると、通常モードから、省力モードＡ、省力モードＢ、省力モードＣ、更に省力モードＤの順に遷移する。モードの遷移は、図９を用いて説明した通りである。
【０１７８】
図２７に、実施の形態３に係るシーケンスの例を示す。携帯端末装置１００は、アプリケーション部の例として、メーラー１１０５の他に、ブラウザ２８０１を有している。
【０１７９】
メーラー１１０５は、受信メール閲覧画面データを生成し、オペレーティングシステム１１０１へ受信メール閲覧画面の表示を要求する（Ｓ２７０１）。メーラー１１０５からオペレーティングシステム１１０１へ送られる指定画面表示の要求には、受信メール閲覧画面データ及び表示領域を特定するための情報が含まれるようにしてもよい。受信メール閲覧画面データを特定するための情報は、例えば受信メール閲覧画面データを格納しているバッファの識別子である。表示領域を特定するための情報は、例えば、始点を示す座標である。
【０１８０】
オペレーティングシステム１１０１は、要求された指定画面を表示させる（Ｓ２７０３）。この例では、第２ディスプレイ２２１ｂが受信メール閲覧画面を表示する。
【０１８１】
オペレーティングシステム１１０１は、受信メール閲覧画面中のハイパーリンクの指示操作を検出すると（Ｓ２７０５）、オペレーティングシステム１１０１は、指示を解析してリンク先のＵＲＬ（Uniform Resource Locator）を特定する（Ｓ２７０７）。そして、オペレーティングシステム１１０１は、リンク先のＵＲＬを指定してブラウザ２８０１を起動する（Ｓ２７０９）。
【０１８２】
ブラウザ２８０１は、ブラウザ画面データを生成し、オペレーティングシステム１１０１へブラウザ画面の表示を要求する（Ｓ２７１１）。ブラウザ２８０１からオペレーティングシステム１１０１へ送られる指定画面表示の要求には、ブラウザ画面データ及び表示領域を特定するための情報が含まれるようにしてもよい。ブラウザ画面データを特定するための情報は、例えばブラウザ画面データを格納しているバッファの識別子である。表示領域を特定するための情報は、例えば、始点を示す座標である。
【０１８３】
オペレーティングシステム１１０１は、要求された指定画面を表示させる（Ｓ２７１３）。この例では、第１ディスプレイ２２１ａでブラウザ画面を表示する。リンク先のコンテンツは、ブラウザ画面内に表示される。
【０１８４】
画面制御部１１０３は、オペレーティングシステム１１０１から画面管理データを取得する（Ｓ２７１５）。
【０１８５】
上述の実施の形態と同様に、所定の期間が経過すると、画面制御部１１０３は、オペレーティングシステム１１０１へ第２ディスプレイ２２１ｂの輝度が低くなるように輝度の変更を指示する（Ｓ２７１７）。
【０１８６】
更に、所定の期間が経過すると、画面制御部１１０３は、オペレーティングシステム１１０１へ第２ディスプレイ２２１ｂを休止させ、更に第２タッチパッッド２２３ｂを休止させるように指示する（Ｓ２７１９）。
【０１８７】
更に、所定の期間が経過すると、画面制御部１１０３は、オペレーティングシステム１１０１へ第１ディスプレイ２２１ａの輝度が低くなるように輝度の変更を指示する（Ｓ２７２１）。
【０１８８】
更に、所定の期間が経過すると、画面制御部１１０３は、オペレーティングシステム１１０１へ第１ディスプレイ２２１ａを休止させ、更に第１タッチパッド２２３ａを休止させるように指示する（Ｓ２７２３）。
【０１８９】
図２８に、実施の形態３に係る携帯端末装置１００のモジュール構成例を示す。上述の通り、携帯端末装置１００は、実施の形態３に係るアプリケーション部として、メーラー１１０５の他に、ブラウザ２８０１を有している。本実施の形態では、画面制御部１１０３は、図１１に示したデータ入力画面リスト格納部１１１７と、図２２に示した対象プログラムリスト格納部２２０３とを備えないようにしてもよい。
【０１９０】
図２９に、実施の形態３に係る画面制御部１１０３によるメイン処理フローの例を示す。取得部１１１１は、オペレーティングシステム１１０１から画面管理データを取得し、取得した画面管理データを画面管理データ記憶部１１１３に記憶させる（Ｓ２９０１）。特定部１１１５は、画面管理データに含まれる動作中のプログラム同士に呼び出し関係があるか否かを判定する（Ｓ２９０３）。
【０１９１】
画面管理データに含まれる動作中のプログラム同士に呼び出し関係がないと判定した場合には、Ｓ２９０１の処理に戻る。
【０１９２】
画面管理データに含まれる動作中のプログラム同士に呼び出し関係があると判定した場合には、特定部１１１５は、呼び出し元プログラムによる画面を表示しているタッチパネルを特定する（Ｓ２９０５）。そして、制御処理が実行される（Ｓ２９０７）。
【０１９３】
制御処理は、上述の実施の形態と同様である。尚、本実施の形態において、図１３のＳ１３１３、図１４のＳ１４１３及びＳ１４１５における「特定したタッチパネル」は、Ｓ２９０５で特定したタッチパネルである。
【０１９４】
また、本実施の形態において、図１５のＳ１５２３、図１６のＳ１６２５及びＳ１６２７における「他方のタッチパネル」は、Ｓ２９０５で特定したタッチパネル以外のタッチパネルである。
【０１９５】
呼び出し元の画面と呼び出し先の画面とは、受信メール閲覧画面とブラウザ画面とに限らない。例えば、あるブラウザ画面から別のブラウザ画面を呼び出すようにしてもよい。また、画像一覧画面から画像表示画面を呼び出すようにしてもよい。
【０１９６】
本実施の形態によれば、呼び出し先の画面（この例では、ブラウザ画面）を呼び出したことにより不用になったと推測され得る呼び出し元の画面（この例では、受信メール閲覧画面）を継続して表示することによる電力消費を抑制することができる。
【０１９７】
また、不用になったと推測され得る呼び出し元の画面の表示を止めることにより、電力消費を抑制することができる。
【０１９８】
また、不用になったと推測され得る呼び出し元の画面の表示に応じた操作の待ち受けも止めることにより、電力消費を更に抑制することができる。
【０１９９】
［実施の形態４］
本実施の形態では、実施の形態１乃至３におけるディスプレイの特定処理を順次行う例について説明する。
【０２００】
本実施の形態に係る携帯端末装置１００の画面制御部１１０３は、図１１、図２２及び図２８に示したモジュールを備える。
【０２０１】
図３０に、実施の形態４に係る画面制御部１１０３によるメイン処理フローの例を示す。取得部１１１１は、オペレーティングシステム１１０１から画面管理データとプロセス管理データとを取得し、取得した画面管理データを画面管理データ記憶部１１１３に記憶させる（Ｓ３００１）。
【０２０２】
特定部１１１５は、画面管理データにデータ入力画面が含まれるか否かを判定する（Ｓ３００３）。特定部１１１５は、実施の形態１と同様に、データ入力画面リスト格納部１１１７に基づいてデータ入力画面を特定する。
【０２０３】
画面管理データにデータ入力画面が含まれると判定した場合には、特定部１１１５は、データ入力画面を表示しているタッチパネルを特定する（Ｓ３００５）。そして、制御処理が実行される（Ｓ３００７）。制御処理は、実施の形態１と同様である。
【０２０４】
画面管理データにデータ入力画面が含まれないと判定した場合には、特定部１１１５は、プロセス管理データにいずれかの対象プログラムによるプロセスが含まれているか否かを判定する（Ｓ３００９）。
【０２０５】
プロセス管理データにいずれかの対象プログラムによるプロセスが含まれていると判定した場合には、特定部１１１５は、実施の形態２と同様に、対象となるタッチパネルを特定する（Ｓ３０１１）。そして、制御処理が実行される（Ｓ３０１３）。制御処理は、実施の形態２と同様である。
【０２０６】
プロセス管理データにいずれかの対象プログラムによるプロセスが含まれていないと判定した場合に、特定部１１１５は、画面管理データに含まれる動作中のプログラム同士に呼び出し関係があるか否かを判定する（Ｓ３０１５）。
【０２０７】
画面管理データに含まれる動作中のプログラム同士に呼び出し関係があると判定した場合には、特定部１１１５は、実施の形態３と同様に、呼び出し元プログラムによる画面を表示しているタッチパネルを特定する（Ｓ３０１７）。そして、制御処理が実行される（Ｓ３０１９）。
【０２０８】
画面管理データに含まれる動作中のプログラム同士に呼び出し関係がないと判定した場合には、Ｓ３００１に戻る。
【０２０９】
また、Ｓ３００７、Ｓ３０１３及びＳ３０１９の制御処理を終えた場合にも、Ｓ３００１に戻る。
【０２１０】
本実施の形態によれば、実施の形態１乃至３に示したいずれの表示画面の態様にも対応することができる。
【０２１１】
以上本技術の一実施の形態を説明したが、本技術はこれに限定されるものではない。例えば、上述の機能ブロック構成は実際のプログラムモジュール構成に一致しない場合もある。
【０２１２】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【０２１３】
以上述べた実施の形態をまとめると、以下のようになる。
【０２１４】
一態様の携帯端末装置は、複数の表示装置と、一方の表示装置に表示される第１画面の生成処理に用いられるデータの入力を受け付けるための第２画面を表示している他方の表示装置を特定する特定部と、所定の操作を受けない期間が第１時間長を越えた場合に、特定した他方の表示装置における輝度を減ずる低減部とを有する。
【０２１５】
このようにすれば、データ入力の受け付けを終えたことにより不用になったと推測され得る第２画面を継続して表示することによる電力消費を抑制することができる。
【０２１６】
また、上記特定部は、複数の表示装置のいずれにも第２画面が表示されてない場合に、一方の表示装置に表示される第３画面を呼び出すための操作を促した第４画面を表示している他方の表示装置を特定するようにしてもよい。更に、所定の操作を受けない期間が第１時間長を越えた場合に、上記低減部は、特定した他方の表示装置における輝度を減ずるようにしてもよい。
【０２１７】
このようにすれば、第３画面を呼び出したことにより不用になったと推測され得る第４画面を継続して表示することによる電力消費を抑制することができる。
【０２１８】
上記携帯端末装置は、所定の操作を受けない期間が第２時間長を越えた場合に、特定した他方の表示装置を休止させる休止部を有するようにしてもよい。
【０２１９】
このようにすれば、上述のように不用になったと推測され得る第２画面又は第４画面の表示を止めることにより、電力消費を抑制することができる。
【０２２０】
特定した他方の表示装置を休止させた場合に、上記休止部は、特定した他方の表示装置と連動する入力装置を休止させるようにしてもよい。
【０２２１】
このようにすれば、上述のように不用になったと推測され得る第２画面又は第４画面の表示に応じた操作の待ち受けも止めることにより、電力消費を更に抑制することができる。
【０２２２】
なお、上記処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０２２３】
以上の実施例を含む実施形態に関し、さらに以下の付記を開示する。
【０２２４】
（付記１）
複数の表示装置と、
一方の表示装置に表示される第１画面の生成処理に用いられるデータの入力を受け付けるための第２画面を表示している他方の表示装置を特定する特定部と、
所定の操作を受けない期間が第１時間長を越えた場合に、前記特定した他方の表示装置における輝度を減ずる低減部と
を有する携帯端末装置。
【０２２５】
（付記２）
前記特定部は、前記複数の表示装置のいずれにも前記第２画面が表示されてない場合に、一方の表示装置に表示される第３画面を呼び出すための操作を促した第４画面を表示している他方の表示装置を特定し、
所定の操作を受けない期間が第１時間長を越えた場合に、前記低減部は、前記特定した他方の表示装置における輝度を減ずる
付記１記載の携帯端末装置。
【０２２６】
（付記３）
前記所定の操作を受けない期間が第２時間長を越えた場合に、前記特定した他方の表示装置を休止させる休止部
を有する付記１又は２記載の携帯端末装置。
【０２２７】
（付記４）
前記特定した他方の表示装置を休止させた場合に、前記休止部は、前記特定した他方の表示装置と連動する入力装置を休止させる
付記３記載の携帯端末装置。
【０２２８】
（付記５）
複数の表示装置を有する携帯端末装置に含まれるプロセッサに、
一方の表示装置に表示される第１画面の生成処理に用いられるデータの入力を受け付けるための第２画面を表示している他方の表示装置を特定する処理と、
所定の操作を受けない期間が第１時間長を越えた場合に、前記特定した他方の表示装置における輝度を減ずる処理と
を実行させるための画面表示プログラム。
【０２２９】
（付記６）
複数の表示装置を有する携帯端末装置によって実行される画面表示方法であって、
一方の表示装置に表示される第１画面の生成処理に用いられるデータの入力を受け付けるための第２画面を表示している他方の表示装置を特定する処理と、
所定の操作を受けない期間が第１時間長を越えた場合に、前記特定した他方の表示装置における輝度を減ずる処理と
を含む画面表示方法。
【符号の説明】
【０２３０】
１００  携帯端末装置    １０１  第１タッチパネル
１０３  第２タッチパネル    １０５  キー
２０１  プロセッサ    ２０３  記憶部
２０５  ＲＯＭ    ２０７  ＲＡＭ
２０９  フラッシュメモリ    ２１１  アンテナ
２１３  無線制御部    ２１５  オーディオ制御部
２１７  スピーカ    ２１９  マイク
２２１ａ  第１ディスプレイ    ２２３ａ  第１タッチパッド
２２１ｂ  第２ディスプレイ    ２２３ｂ  第２タッチパッド
２２５  電池    １１０１  オペレーティングシステム
１１０３  画面制御部    １１０５  メーラー
１１１１  取得部    １１１３  画面管理データ記憶部
１１１５  特定部    １１１７  データ入力画面リスト格納部
１１１９  判定部    １１２１  タイマー
１１２３  低減部    １１２５  復帰部
１１２７  休止部    ２２０１  音楽プレーヤー
２２０３  対象プログラムリスト格納部    ２８０１  ブラウザ
【図１】
2014191223.tif 000003
【図２】
2014191223.tif 000004
【図３】
2014191223.tif 000005
【図４】
2014191223.tif 000006
【図５】
2014191223.tif 000007
【図６】
2014191223.tif 000008
【図７】
2014191223.tif 000009
【図８】
2014191223.tif 000010
【図９】
2014191223.tif 000011
【図１０】
2014191223.tif 000012
【図１１】
2014191223.tif 000013
【図１２】
2014191223.tif 000014
【図１３】
2014191223.tif 000015
【図１４】
2014191223.tif 000016
【図１５】
2014191223.tif 000017
【図１６】
2014191223.tif 000018
【図１７】
2014191223.tif 000019
【図１８】
2014191223.tif 000020
【図１９】
2014191223.tif 000021
【図２０】
2014191223.tif 000022
【図２１】
2014191223.tif 000023
【図２２】
2014191223.tif 000024
【図２３】
2014191223.tif 000025
【図２４】
2014191223.tif 000026
【図２５】
2014191223.tif 000027
【図２６】
2014191223.tif 000028
【図２７】
2014191223.tif 000029
【図２８】
2014191223.tif 000030
【図２９】
2014191223.tif 000031
【図３０】
2014191223.tif 000032